(57)【要約】【課題】電子機器における音響出力の音響補正方法及び電子機器を提供する。【解決手段】実施形態の電子機器は、抽出手段と、分析手段と、設定手段と、を具備する。抽出手段は、音響装置が再生する再生音が含む測定信号を抽出する。分析手段は、前記抽出手段が抽出した測定信号の特性を分析する。設定手段は、前記分析手段の分析結果に基づき、前記音響装置に用いる補正フィルタが要求する振幅特性から最小位相フィルタを構成し、前記最小位相フィルタの位相特性と前記補正フィルタが要求する位相特性の位相差に応じた全域通過フィルタを構成し、前記最小位相フィルタのフィルタ係数と前記全域通過フィルタのフィルタ係数とを、畳み込み演算によって合成して前記補正フィルタを提供する特性を設定する。【選択図】図１
2014049972.tif 000002
【特許請求の範囲】
【請求項１】
音響装置が再生する再生音が含む測定信号を抽出する抽出手段と、
前記抽出手段が抽出した測定信号の特性を分析する分析手段と、
前記分析手段の分析結果に基づき、前記音響装置に用いる補正フィルタが要求する振幅特性から最小位相フィルタを構成し、前記最小位相フィルタの位相特性と前記補正フィルタが要求する位相特性の位相差に応じた全域通過フィルタを構成し、前記最小位相フィルタのフィルタ係数と前記全域通過フィルタのフィルタ係数とを、畳み込み演算によって合成して前記補正フィルタを提供する特性を設定する設定手段と、
を具備する電子機器。
【請求項２】
音響装置が再生する再生音が含む測定信号を抽出する抽出手段と、
前記抽出手段が抽出した測定信号の特性を分析する分析手段と、
前記分析手段の分析結果に基づき、前記音響装置に用いる補正フィルタが要求する振幅特性から最小位相フィルタを構成し、前記最小位相フィルタの位相特性と前記補正フィルタが要求する位相特性の位相差に応じた全域通過フィルタを構成し、前記最小位相フィルタのフィルタ係数と前記全域通過フィルタのフィルタ係数とを縦続接続された２つのＦＩＲフィルタに設定する設定手段と、
を具備する電子機器。
【請求項３】
前記補正フィルタにおける前記最小位相フィルタのタップ数が前記全域通過フィルタのタップ数よりも長い請求項１または２の電子機器。
【請求項４】
前記補正フィルタの前記タップ数が前記最小位相フィルタの前記タップ数と前記全域通過フィルタの前記タップ数の和から１を減算したタップ数よりも小さい請求項１の電子機器。
【請求項５】
音響装置が再生する再生音が含む測定信号を抽出する抽出手段と、前記抽出手段が抽出した測定信号の特性を分析する分析手段と、前記分析手段の分析結果に基づき、前記音響装置に用いる補正フィルタが要求する振幅特性から最小位相フィルタを構成し、前記最小位相フィルタの位相特性と前記補正フィルタが要求する位相特性の位相差に応じた全域通過フィルタを構成し、前記最小位相フィルタのフィルタ係数と前記全域通過フィルタのフィルタ係数とを、畳み込み演算によって合成して前記補正フィルタを提供する特性を設定する特性設定手段と、により求めた補正フィルタを、音響出力部に具備する電子機器。
【請求項６】
音響装置が再生する再生音が含む測定信号を抽出する抽出手段と、前記抽出手段が抽出した測定信号の特性を分析する分析手段と、前記分析手段の分析結果に基づき、前記音響装置に用いる補正フィルタが要求する振幅特性から最小位相フィルタを構成し、前記最小位相フィルタの位相特性と前記補正フィルタが要求する位相特性の位相差に応じた全域通過フィルタを構成し、前記最小位相フィルタのフィルタ係数と前記全域通過フィルタのフィルタ係数とを縦続接続された２つのＦＩＲフィルタに設定する設定手段と、
により求めた補正フィルタを、音響出力部に具備する電子機器。
【請求項７】
前記補正フィルタにおける前記最小位相フィルタのタップ数が前記全域通過フィルタのタップ数よりも長い請求項５または６の電子機器。
【請求項８】
前記補正フィルタの前記タップ数が前記最小位相フィルタの前記タップ数と前記全域通過フィルタの前記タップ数の和から１を減算したタップ数よりも小さい請求項５の電子機器。
【請求項９】
音響装置が再生する再生音が含む測定信号を抽出し、
抽出した測定信号の特性を分析し、
分析結果に基づき、音響装置に用いる補正フィルタが要求する振幅特性から最小位相フィルタを構成し、最小位相フィルタの位相特性と補正フィルタが要求する位相特性の位相差に応じた全域通過フィルタを構成し、最小位相フィルタのフィルタ係数と全域通過フィルタのフィルタ係数とを、畳み込み演算によって合成して補正フィルタを提供する特性を設定する
音響特性補正フィルタとする音響補正方法。
【請求項１０】
音響装置が再生する再生音が含む測定信号を抽出し、
抽出した測定信号の特性を分析し、
分析結果に基づき、音響装置に用いる補正フィルタが要求する振幅特性から最小位相フィルタを構成し、最小位相フィルタの位相特性と補正フィルタが要求する位相特性の位相差に応じた全域通過フィルタを構成し、前記最小位相フィルタのフィルタ係数と前記全域通過フィルタのフィルタ係数とを、従属接続した２つのＦＩＲフィルタに設定して音響特性補正フィルタとする音響補正方法。
【発明の詳細な説明】
【技術分野】
【０００１】
この発明は、電子機器が出力する音響出力（再生音）の音響補正方法及び電子機器に関する。
【背景技術】
【０００２】
電子機器が出力する音響出力（再生音）を、インパルス応答に基づき補正する音響補正方法技術が知られている。例えば、最小位相フィルタと直線位相フィルタとを合成する方法がある。
【先行技術文献】
【特許文献】
【０００３】
【特許文献１】特許第２７７８４１８号公報
【発明の概要】
【発明が解決しようとする課題】
【０００４】
しかしながら、最小位相フィルタは遅延が小さいという特徴を有するが振幅周波数特性によって一意に位相周波数特性が決まるため、位相測定結果に対する位相補正を十分に行なうものではない。また、直線位相フィルタは波形の伝送には適するものの位相は変わらないため位相補正にはならない。
【０００５】
この発明の目的は、電子機器における音響出力の音響補正方法及び電子機器を提供することである。
【課題を解決するための手段】
【０００６】
実施形態の電子機器は、抽出手段と、分析手段と、設定手段と、を具備する。抽出手段は、音響装置が再生する再生音が含む測定信号を抽出する。分析手段は、前記抽出手段が抽出した測定信号の特性を分析する。設定手段は、前記分析手段の分析結果に基づき、前記音響装置に用いる補正フィルタが要求する振幅特性から最小位相フィルタを構成し、前記最小位相フィルタの位相特性と前記補正フィルタが要求する位相特性の位相差に応じた全域通過フィルタを構成し、前記最小位相フィルタのフィルタ係数と前記全域通過フィルタのフィルタ係数とを、畳み込み演算によって合成して前記補正フィルタを提供する特性を設定する。
【図面の簡単な説明】
【０００７】
【図１】実施形態にかかる電子機器の一例を示す。
【図２】実施形態にかかる電子機器におけるインパルス応答の一例を示す。
【図３】実施形態にかかる電子機器に用いる補正フィルタ(ＦＩＲ)の特性の一例を示す。
【図４】概逆特性を適用する電子機器に用いる補正フィルタのフィルタ係数の一例を示す。
【図５】実施形態にかかる電子機器に用いる補正フィルタに構成する最小位相フィルタのタップ係数の一例を示す。
【図６】実施形態にかかる電子機器に用いる補正フィルタに構成する最小位相フィルタの位相特性の一例を示す。
【図７】実施形態にかかる電子機器に用いる補正フィルタに構成する全域通過フィルタのタップ係数の一例を示す。
【図８】実施形態にかかる電子機器に用いる補正フィルタのタップ係数の一例[[最小位相フィルタの３８５タップ（タップ数Ｎ、Ｎ＝ｍ＋ｎ、ｍ＝５１２−１２８＋１、ｍ、ｎは、それぞれ整数）分のフィルタ係数と図７に示した全域通過フィルタ係数とを畳み込み演算して得られる補正フィルタ係数]]を示す。
【図９】実施形態にかかる電子機器における補正フィルタによる補正後のインパルス応答の一例を示す。
【図１０】実施形態にかかる電子機器に用いる補正フィルタによる補正後の振幅周波数特性の一例を示す。
【図１１】実施形態にかかる電子機器に用いる補正フィルタによる補正後の位相周波数特性の一例を示す。
【図１２】最小位相フィルタを適用する電子機器における補正フィルタによる補正後のインパルス応答の一例(比較例)を示す。
【図１３】最小位相フィルタを適用する電子機器における補正フィルタによる補正後の振幅周波数特性の一例(比較例)を示す。
【図１４】最小位相フィルタを適用する電子機器における補正フィルタによる補正後の位相周波数特性の一例(比較例)を示す。
【図１５】概逆特性フィルタを適用する電子機器における補正フィルタによる補正後のインパルス応答の一例(比較例)を示す。
【図１６】概逆特性フィルタを適用する電子機器における補正フィルタによる補正後の振幅周波数特性の一例(比較例)を示す。
【図１７】概逆特性フィルタを適用する電子機器における補正フィルタによる補正後の位相周波数特性の一例(比較例)を示す。
【図１８】実施形態にかかる電子機器に用いる補正フィルタのフィルタ係数の一例[[最小位相フィルタを５１２タップで、全域通過フィルタを１２８タップで設計し、畳み込み演算で合成した後に、先頭から５１２タップ分を使った場合のフィルタ係数を用いる]]を示す。
【図１９】実施形態にかかる電子機器における補正フィルタによる補正後のインパルス応答の一例を示す。
【図２０】実施形態にかかる電子機器に用いる補正フィルタによる補正後の振幅周波数特性の一例を示す。
【図２１】実施形態にかかる電子機器に用いる補正フィルタによる補正後の位相周波数特性の一例を示す。
【図２２】実施形態にかかる電子機器[[テレビジョン受信装置]]の一例を示す。
【発明を実施するための形態】
【０００８】
以下、図面を参照して、本発明の実施の一形態について説明する。
【０００９】
図１は、実施形態を適用する電子機器及びこの電子機器が出力する音響出力（再生音）の出力特性を、インパルス応答に基づき補正する音響補正方法の一例を示す。なお、以下に説明する要素／構成は、ハードウエアで実現するものであってもよいし、マイクロコンピュータ（処理装置、ＣＰＵ（Central Processing Unit））により、ソフトウエアで実現するものであってもよい。
【００１０】
図１が示す電子機器、例えば音響特性補正システム１０１は、測定信号収音部（測定信号抽出部）１１１、音響特性分析部（インパルス応答検出部）１１３、イコライザ特性設定部（ＦＩＲフィルタ特性設定部）１１５、を含む。
【００１１】
測定信号収音部（測定信号抽出部）１１１には、音響−電気変換部（マイク（音響入力モジュール））１０３が接続し、電気−音響変換部（スピーカー（音響出力モジュール））１０５が出力する測定信号ＴＳＰの被測定音場の伝達特性を含む音響出力（再生音）が入力する（測定信号収音部１１１が、スピーカー１０５が出力する測定信号ＴＳＰが被測定音場の伝達特性により変調された音響出力を、マイク１０３を通じて収音する）。なお、スピーカー１０５が出力する音響出力は、信号補正部（イコライザ）１０７が出力する再生信号に対応する音響出力または測定信号発生部（測定信号ＴＳＰ発生源）１０９が出力する測定信号ＴＳＰに対応する音響出力である。また、信号補正部１０７は、電子機器１０１が、図２２により後段に説明するように、例えばデジタルテレビジョン受信装置である場合には、例えば音声処理部５９に、以下に説明するＦＩＲ（Finite Impulse Response、有限インパルス応答）フィルタとして組み込まれる。
【００１２】
音響特性分析部１１３は、測定信号収音部１１１が収音した被測定音場の伝達特性を含む測定信号ＴＳＰに、逆ＴＳＰ信号を畳み込み演算することで、図２に示すように、伝達特性を含んだインパルス応答を得る。
【００１３】
イコライザ特性設定部１１５は、音響特性分析部（インパルス応答検出部）１１３が出力する伝達特性を含んだインパルス応答をフーリエ変換（ＤＦＴ）し、周波数領域に変換して、振幅周波数特性及び位相周波数特性を取得する。
【００１４】
イコライザ特性設定部１１５は、周波数特性を平坦に、及び位相特性を直線位相に近づけることにより、取得した特性及び位相周波数特性のそれぞれを、音響特性の補正の手法として知られている「理想インパルス応答」に近づける。なお、「理想インパルス応答」に近づけるためには、イコライザ特性設定部１１５において、振幅特性は、測定特性を『Ａ』とすると『１／Ａ』、位相特性は、測定特性を『Ｐ』とすると『−Ｐ』とすれば理想的な逆特性となり、この特性のＦＩＲフィルタを使って補正をすることで、理想インパルス応答が再現できる。但し、スピーカー１０５の再生可能帯域外等については、スピーカー１０５に対して過大入力になる等の不都合があるため補正は行わない。この特性を概逆特性と呼ぶことにする。また、ＦＩＲフィルタそのものは既に広く用いられており、詳細を省略するが、入力信号と出力信号との関係を定義する差分方程式における右辺にタップ（taps）と呼ぶ「Ｎ」個（次数がＮ−１の場合）の項を含む。
【００１５】
図３に、上述した概逆特性ＦＩＲフィルタによる補正の一例を示す。点線が測定した振幅周波数特性であり、実線が補正特性である。この補正特性を得るために設計したタップ数が５１２タップのＦＩＲフィルタのタップ係数を、図４に示す。なお、図３の振幅特性に応じてタップ数が５１２タップの最小位相フィルタを設計すると図５に示すタップ係数が得られ、その位相特性は振幅特性により一意的に決まる。このため、図５に示すタップ係数をフーリエ変換（ＤＦＴ）することで、図６に示すように位相特性を確認することができる。この特性を『Ｒ』とする。ところで、「理想インパルス応答」を再現するためには、『−Ｐ』の位相特性にしたい（『−Ｐ』の特性の位相特性を得ることが必要である）ので、『−Ｐ−Ｒ』の位相特性を持ち振幅特性が平坦な全域通過フィルタ（All Pass Filter、オールパスフィルタ）を設計し、位相特性が『Ｒ』の最小位相フィルタと合成すれば、全体としての『−Ｐ』の位相特性を持たせることができる。
【００１６】
図７に、『−Ｐ−Ｒ』の位相特性で設計したタップ数が１２８タップ（タップ数ｎ）の全域通過フィルタ（タップ係数）の設計例を示す。図８に、図５に示した最小位相フィルタの３８５タップ（タップ数Ｎ、Ｎ＝ｍ＋ｎ、ｍ＝５１２−１２８＋１、ｍ、ｎは、それぞれ整数）分のフィルタ係数と図７に示した全域通過フィルタ係数とを畳み込み演算して得られる補正フィルタ係数を示す。
【００１７】
畳み込み演算によってＮ＝５１２（Ｎ＝ｍ＋ｎ−１、ｍ、ｎは、それぞれ整数）のフィルタ係数が得られる。
【００１８】
図２に示す測定特性のインパルス応答に、図８に示すフィルタ計数を畳み込むと、図９に一例を示す補正結果のインパルス応答が得られる。また、この補正結果をフーリエ変換（ＤＦＴ）した振幅周波数特性を図１０に、位相周波数特性を図１１に、それぞれ示す。
【００１９】
比較のため、同じタップ数（次数）である５１２タップの最小位相フィルタで補正した場合のインパルス応答、振幅周波数特性、位相周波数特性を、それぞれ、図１２、図１３及び図１４に示すが、図９に示す本実施形態を適用したインパルス応答が、図１２に示すインパルス応答よりも理想に近い形であることが認められる。
【００２０】
また、図４に示す概逆特性フィルタ係数は、インパルス応答特性を優先した補正方法であるが、図２に示す測定特性にこのフィルタを畳み込むことて補正した場合のインパルス応答、振幅周波数特性、位相周波数特性を、それぞれ、図１５、図１６及び図１７に示す。図１６と図１０とを比較すると図１０に示す本実施形態の振幅特性が、図１６に示す振幅特性よりも平坦に近づいていることが認められる。
【００２１】
なお、全域通過フィルタのタップ数（次数）を大きくすると、位相（位相周波数特性）の制御性は良くなるが、最小位相フィルタと合成した後の補正フィルタのタップ数が大きくなるため、最小位相フィルタのタップ数よりも少ないタップ数で設計すると周波数特性の補正性能を担保するのに効果的である。
【００２２】
また、最小位相フィルタ係数と全域通過フィルタ係数を畳み込み演算した後にタップ係数列の後端部を打ち切って、タップ数（Ｎ＝５１２）が最小位相フィルタのタップ数（ｍ＝５１２）と全域通過フィルタのタップ数（ｎ＝１２８）の和から１を減算したタップ数（５３９）よりも小さい補正フィルタとする方法も周波数特性の補正性能を担保するのに効果的である。すなわち、図１８に示すように、最小位相フィルタを５１２タップで、全域通過フィルタを１２８タップで設計し、畳み込み演算で合成した後に、先頭から５１２タップ分を切り出したフィルタ係数を用いることで、図１９に示すインパルス応答、図２０に示す振幅周波数特性、及び図２１に示す位相周波数特性が得られる。図１０と図２０とを比較すると図２０に示す本実施形態の振幅特性が、図１０に示す振幅特性よりも平坦に近づいていることが認められる。
【００２３】
なお、上述の実施形態においては、最小位相フィルタ係数と全域通過フィルタ係数を畳み込み演算して得られたフィルタ係数をＦＩＲフィルタに適用する形態を説明しているが、最小位相フィルタ係数を適用したＦＩＲフィルタと全域通過フィルタ係数を適用したＦＩＲフィルタを従属接続したフィルタ構成とすることによっても、インパルス応答の再現性能と振幅周波数特性の補正性能を両立させることができる。
【００２４】
図２２に、図１に示した信号補正部（イコライザ）１０７を、デジタルテレビジョン放送受信装置１に適用する例を、示す。
【００２５】
音響機器の一例であるデジタルテレビジョン受信装置１は、映像表示部１４、スピーカー１５、操作部１６、受光部１８、放送信号入力端子４８，５３、アナログ信号入力端子６０、出力端子６３，６４、チューナ４９，５４，５６、ＰＳＫ復調器５０、ＯＦＤＭ復調器５５、アナログ復調器５７、信号処理部５１、音声処理部５９、グラフィック処理部５８、映像処理部６２、ＯＳＤ信号生成部６１、制御部６５等を備える。
【００２６】
音声処理部５９は、音響特性を補正する補正処理部５９０を含む。この補正処理部５９０は、補正フィルタ（ＦＩＲ）５９１、低音処理部（Ｂａｓｓ）５９２、イコライザ（ＥＱ）５９３、及び音量処理部（Ｖｏｌ）５９４等により構成される。補正フィルタ５９１は、第１又は第２の実施形態の音響特性補正係数算出システムにより算出された音響特性補正係数により音響特性を補正する。低音処理部５９２は、低音設定に応じて低音域を補正（例えば強調）する。イコライザ５９３は、音声信号の周波数特性を平坦にする。音量処理部５９４は、音量設定に応じて音量を調整する。以下、音響機器（デジタルテレビジョン受信装置１）の各部について説明する。
【００２７】
また、放送信号入力端子４８及び放送信号入力端子５３には、それぞれＢＳ／ＣＳデジタル放送受信用アンテナ４７及び地上波放送受信用アンテナ５２が接続される。受光部１８は、リモートコントローラ１７から出力される信号を受信する。
【００２８】
制御部６５は、デジタルテレビジョン受信装置１内の各部の動作を制御する。制御部６５は、ＣＰＵ６９、ＲＯＭ６６、ＲＡＭ６７、及び不揮発性メモリ６８を備える。ＲＯＭ６６は、ＣＰＵ６９によって実行される制御プログラムを格納する。不揮発性メモリ６８は、各種の設定情報及び制御情報を格納する。ＣＰＵ６９は、処理に必要な命令群及びデータをＲＡＭ６７にロードし、処理を実行する。
【００２９】
制御部６５には、操作部１６による操作情報、もしくは受光部１８で受信するリモートコントローラ１７による操作情報が入力される。制御部６５は、この操作内容を反映した各部の制御を行う。
【００３０】
ＢＳ／ＣＳデジタル放送受信用アンテナ４７は、衛星デジタルテレビジョン放送信号を受信する。ＢＳ／ＣＳデジタル放送受信用アンテナ４７は、受信した衛星デジタルテレビジョン放送信号を、入力端子４８を介して衛星デジタル放送用のチューナ４９に出力する。チューナ４９は、この放送信号からユーザが選択しているチャンネルの放送信号を選局する。チューナ４９は、選局した放送信号をＰＳＫ復調器５０に出力する。ＰＳＫ（Phase Shift Keying）復調器５０は、チューナ４９により選局された放送信号をデジタルの映像信号及び音声信号に復調する。ＰＳＫ復調器５０は、復調したデジタルの映像信号及び音声信号を信号処理部５１に出力する。
【００３１】
地上波放送受信用アンテナ５２は、地上デジタルテレビジョン放送信号及び地上アナログテレビジョン放送信号を受信する。地上波放送受信用アンテナ５２は、地上デジタルテレビジョン放送信号を、入力端子５３を介してチューナ５４に出力する。チューナ５４は、この放送信号からユーザが選択しているチャンネルの放送信号を選局する。チューナ５４は、選局した放送信号をＯＦＤＭ復調器５５に出力する。ＯＦＤＭ（Orthogonal Frequency Division Multiplexing）復調器５５は、チューナ５４により選局された放送信号をデジタルの映像信号及び音声信号に復調する。ＯＦＤＭ復調器５５は復調したデジタルの映像信号及び音声信号を信号処理部５１に出力する。
【００３２】
また、地上波放送受信用アンテナ５２は、地上アナログテレビジョン放送信号を、入力端子５３を介して地上アナログ放送用のチューナ５６に出力する。チューナ５６は、この放送信号からユーザが選択しているチャンネルの放送信号を選局する。チューナ５６は選局した放送信号をアナログ復調器５７に出力する。アナログ復調器５７は、チューナ５６により選局された放送信号をアナログの映像信号及び音声信号に復調する。アナログ復調器５７は、復調したアナログの映像信号及び音声信号を信号処理部５１に出力する。
【００３３】
また、信号処理部５１には、入力端子６０が接続される。この入力端子６０は、デジタルテレビジョン受信装置１に対して、外部からアナログの映像信号及び音声信号を入力するための端子である。信号処理部５１は、アナログ復調器５７又は入力端子６０を介して入力されたアナログの映像信号及び音声信号を、それぞれデジタルの映像信号及び音声信号に変換する。
【００３４】
信号処理部５１は、変換されたデジタルの映像信号及び音声信号、並びにＰＳＫ復調器５０又はＯＦＤＭ復調器５５から入力されたデジタルの映像信号及び音声信号に対して所定のデジタル信号処理を施す。信号処理部５１は、所定のデジタル信号処理を施した映像信号及び音声信号を、グラフィック処理部５８及び音声処理部５９に出力する。
【００３５】
グラフィック処理部５８は、信号処理部５１から出力されるデジタル映像信号に、ＯＳＤ（On Screen Display）信号生成部６１で生成されるメニュー等のＯＳＤ信号を重畳する。グラフィック処理部５８は、ＯＳＤ信号が重畳された映像信号を映像処理部６２に出力する。また、グラフィック処理部５８は、信号処理部５１の出力である映像信号と、ＯＳＤ信号生成部６１の出力であるＯＳＤ信号とを選択的に出力してもよい。
【００３６】
映像処理部６２は、入力されたデジタル映像信号を、映像表示部１４で表示可能なアナログ映像信号に変換する。映像処理部６２は、このアナログ映像信号を映像表示部１４に出力する。映像表示部１４は、入力されたアナログ映像信号に基づいて映像を表示する。映像処理部６２はさらに、出力端子６３を介してアナログ映像信号を外部に導出してもよい。
【００３７】
音声処理部５９は、入力されたデジタル音声信号を、スピーカー１５で再生可能なアナログ音声信号に変換する。音声処理部５９は、このアナログ音声信号をスピーカー１５に出力する。スピーカー１５は、入力されたアナログ音声信号に基づいて音声を再生する。音声処理部５９はさらに、出力端子６４を介してアナログ音声信号を外部に導出してもよい。なお、上記したように、音声処理部５９は補正処理部５９ａを備え、音声処理部５９は補正処理部５９ａを構成する補正フィルタ等により音響特性を補正し、補正されたアナログ音声信号をスピーカー１５等に出力する。
【００３８】
以上説明したように、本実施形態を適用することにより、再生音響特性を測定した結果に基づき、それを目標特性に補正するための振幅周波数特性および位相周波数特性を有するＦＩＲフィルタを得ることができる。すなわち、インパルス応答の再現性能と振幅周波数特性とを両立させたフィルタを設計することができる。
【００３９】
従って、再生音響に対して、位相を含めて補正することにより、測定点におけるインパルス応答を復元し、原音を忠実に再現する無線ＬＡＮ通信を使用した機能（ＤＬＮＡなど）の可用性を、事前に確認することができる。また、周波数帯域に応じて収音信号を集約するための計算方法を変えることにより、収音時の伝達遅延時間に変動が有っても周波数特性を正しく評価することができるため、マイク（収音装置）を手持ちにして、適宜移動させて測定することが可能であり、簡便な測定方法で再現性の良い測定結果が得られる。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１…デジタルテレビジョン受信装置（電子機器）、５９…音声処理部（信号補正部）、１１１…測定信号収音部（測定信号抽出部）、１１３…音響特性分析部（インパルス応答検出部）、１１５…イコライザ特性設定部（ＦＩＲフィルタ特性設定部）。
【図１】
2014049972.tif 000003
【図２】
2014049972.tif 000004
【図３】
2014049972.tif 000005
【図４】
2014049972.tif 000006
【図５】
2014049972.tif 000007
【図６】
2014049972.tif 000008
【図７】
2014049972.tif 000009
【図８】
2014049972.tif 000010
【図９】
2014049972.tif 000011
【図１０】
2014049972.tif 000012
【図１１】
2014049972.tif 000013
【図１２】
2014049972.tif 000014
【図１３】
2014049972.tif 000015
【図１４】
2014049972.tif 000016
【図１５】
2014049972.tif 000017
【図１６】
2014049972.tif 000018
【図１７】
2014049972.tif 000019
【図１８】
2014049972.tif 000020
【図１９】
2014049972.tif 000021
【図２０】
2014049972.tif 000022
【図２１】
2014049972.tif 000023
【図２２】
2014049972.tif 000024